(57)【要約】  本発明の実施形態は、一種の上り制御チャネル資源の確定方法と設備を開示する。本発明の実施形態の技術的解決方法によって、半静態でACK/NACK等の上り制御資源を配置できる。当該方法は簡易で、実施し易く、また、FDD及びTDDシステムにも適用可能である。長期進化搬送波重合システムに対して、システム中の上り返信チャネルは、出費を削減でき、長期進化マルチ搬送波アップグレードシステムの性能を向上すると同時に、LTE Release 8システムに対しても良く両立できる。【選択図】図６
2013524583.tif 000002
【特許請求の範囲】
【請求項１】
基地局が、端末設備に配置された、上り制御情報の返信モード及び/又は上り制御チャネルの伝送方式を識別すること、および、
基地局が、識別結果によって、端末設備に上位レイヤシグナルを送信し、端末設備に上り制御チャネル資源を分配すること、を含むことを特徴とする上り制御チャネル資源の分配方法。
【請求項２】
基地局が、端末設備に配置された、上り制御情報の返信モード及び/又は上り制御チャネル伝送方式を識別することは、
端末設備に、ACK/NACKを多重伝送する返信モードの返信ACK/NACK情報を使用し、単一アンテナポートでPUCCHを伝送する配置を選定すること、
端末設備に、ACK/NACKを複合伝送する返信モードの返信ACK/NACK情報を使用し、単一アンテナポートでPUCCHを伝送する配置を選定すること、
端末設備に、ACK/NACKを複合伝送する返信モードの返信ACK/NACK情報を使用し、SORDT方式から生成された送信サブセットでPUCCHを伝送する配置を選定すること、または、
端末設備に、ACK/NACKを多重伝送する返信モードの返信ACK/NACK情報を使用し、SORDT方式から生成された送信サブセットでPUCCHを伝送する配置を選定すること、を含むことを特徴とする請求項１に記載の方法。
【請求項３】
基地局が、端末設備に、ACK/NACKを多重伝送する返信モードの返信ACK/NACK情報を使用し、単一アンテナポートの使用でPUCCHを伝送するよう配置するのを識別する場合、基地局が前記識別結果により、端末設備に上位レイヤシグナルを送信し、端末設備に上り制御チャネル資源も分配することが、
現在のシステムのタイプがFDDシステムであれば、基地局が端末設備にPUCCH format 1/1a/1bのフォーマットの上り制御チャネル資源を一つ分配すること、または、
現在のシステムのタイプがTDDシステムであれば、基地局がプリセットされた規則によって、端末設備に相応数量のPUCCH format 1/1a/1bフォーマットの上り制御チャネル資源を分配すること、を含むことを特徴とする請求項２に記載の方法。
【請求項４】
基地局が、端末設備に、ACK/NACK複合伝送の返信モードの返信ACK/NACK情報を使用し、単一アンテナポートの使用でPUCCHを伝送するよう配置するのを識別する場合、基地局が、識別結果により、端末設備に上位レイヤシグナルを端末設備に送信し、端末設備に上り制御チャネル資源を分配することは、
基地局が、端末設備によりマルチビットのACK/NACK情報を伝送したフォーマットを識別することを含むことを特徴とする請求項２に記載の方法。
【請求項５】
基地局は、端末設備がPUCCH format 2/2a/2bフォーマットでマルチビットのACK/NACK情報を伝送するのを識別する場合、
現在のシステムのタイプがFDDシステムである場合、基地局が端末設備に一つのPUCCH format 2/2a/2bフォーマットの上り制御チャネル資源を分配すること、または、
現在のシステムのタイプがTDDシステムである場合、基地局が返信の窓口の寸法、各下り搬送波伝送モードと端末設備の能力情報とによって、端末設備に一つ又は複数のPUCCH format 2/2a/2bフォーマットの上り制御チャネル資源を分配すること、を含むことを特徴とする請求項４に記載の方法。
【請求項６】
基地局は、端末設備がPUCCH format 1b with channel selection方式でマルチビットACK/NACK情報を伝送するのを識別する場合、現在のシステムのタイプがFDDシステムである場合、基地局が返信窓口の大きさと各下り搬送波伝送モードによって、端末設備に相応な数量のPUCCH format 1/1a/1bフォーマットの上り制御チャネル資源を分配すること、および、
現在のシステムのタイプがTDDシステムである場合、基地局がプリセットされた規則によって、端末設備に相応な数量のPUCCH format 1/1a/1bフォーマットの上り制御チャネル資源を分配すること、を含むことを特徴とする請求項４に記載の方法。
【請求項７】
基地局は、端末設備がSORDT方式で生成された送信サブセットの使用でUCCHを伝送するのを識別する場合、基地局が識別結果により、端末設備に上位レイヤシグナルを送信し、端末設備に上り制御チャネル資源を分配することは、
基地局が端末設備に相応数量の上り制御チャネル資源対を分配することを含むことを特徴とする請求項３乃至６のいずれか１項に記載の方法。
【請求項８】
端末設備に配置する上り制御情報の返信モード及び/又は上り制御チャネル伝送方式を識別する識別モジュールと、
識別モジュールの識別結果により、端末設備に上位レイヤシグナルを送信し、端末設備に上り制御チャネル資源を分配する分配モジュールと、を含むことを特徴とする基地局。
【請求項９】
識別モジュールが、端末設備に配置した上り制御情報の返信モード及び/又は上り制御チャネル伝送方式を識別することは、
端末設備に、ACK/NACKを多重伝送する返信モードの返信ACK/NACK情報、または、単一アンテナポートを使用することでPUCCHを伝送するよう配置すること、
端末設備に、ACK/NACKを複合伝送する返信モードの返信ACK/NACK情報、または、単一アンテナポートを使用することによりPUCCHを伝送するよう配置すること、
端末設備に、ACK/NACKを複合伝送する返信モードの返信ACK/NACK情報、または、SORDT方式で生成した送信サブセット使用でPUCCHを伝送するよう配置すること、又は
端末設備に、ACK/NACKを多重伝送する返信モードの返信ACK/NACK情報、または、SORDT方式で生成した送信サブセットを使用することでPUCCHを伝送するよう配置すること、を含むことを特徴とする請求項８に記載の基地局。
【請求項１０】
識別モジュールは、端末設備の配置で、ACK/NACKを多重伝送する返信モードの返信ACK/NACK情報を使用し、単一アンテナポートの使用でPUCCHを伝送するよう識別する場合、分配モジュールが、識別モジュールの識別結果によって端末設備に上位レイヤシグナルを送信し、端末設備に上り制御チャネル資源を分配することは、
現在のシステムのタイプがFDDシステムであるとすると、分配モジュールが前記端末設備に一つのPUCCH format 1/1a/1bフォーマットの上り制御チャネル資源を分配すること、および、
現在のシステムのタイプがTDDシステムであるとすると、分配モジュールがプリセットされた規則によって、端末設備に相応な数量のPUCCH format 1/1a/1bフォーマットの上り制御チャネル資源を分配すること、を含むことを特徴とする請求項９に記載の基地局。
【請求項１１】
識別モジュールは、端末設備に、ACK/NACKを複合伝送する返信モードの返信ACK/NACK情報を使用し、単一アンテナポートの使用でPUCCHを伝送するよう配置することを識別する場合、また識別モジュールは、端末設備がマルチビットACK/NACK情報を伝送するフォーマットを識別し、分配モジュールが識別モジュールの識別結果によって端末設備に上位レイヤシグナルを送信し、端末設備に上り制御チャネル資源を分配することを識別する場合は、識別モジュールは、端末設備がPUCCH format 2/2a/2bフォーマットマルチビットでACK/NACK情報を伝送すると識別する場合、現在のシステムのタイプがFDDシステムであれば、分配モジュールが端末設備にPUCCH format 2/2a/2bフォーマットの上り制御チャネル資源を一つ分配し、現在のシステムのタイプがTDDシステムであれば、分配モジュールが返信窓口の大きさと各下り搬送波伝送モードと端末設備の能力情報とによって、端末設備に、一つ又は複数のPUCCH format 2/2a/2bフォーマットの上り制御チャネル資源を分配することと、
前記識別モジュールにより、端末設備がPUCCH format 1b with channel selection方式でマルチビットACK/NACK情報の伝送を識別する場合、現在のシステムのタイプがFDDシステムである場合、分配モジュールは、返信窓口の大きさと各下り搬送波伝送モードとによって、端末設備に相応数量のPUCCH format 1/1a/1bフォーマットの上り制御チャネル資源を分配し、現在のシステムのタイプがTDDシステムである場合、分配モジュールはプリセットされた規則によって、端末設備に相応数量のPUCCH format 1/1a/1bフォーマットの上り制御チャネル資源を分配することと、を含むことを特徴とする請求項９に記載の基地局。
【請求項１２】
識別モジュールは、端末設備がSORDT方式で生成された送信サブセットを使用してPUCCHを伝送するよう配置することを識別する場合、分配モジュールが端末設備に上位レイヤシグナルを送信し、端末設備に上り制御チャネル資源を分配することが、
分配モジュールが端末設備に相応数量の上り制御チャネル資源対を分配することを含むことを特徴とする請求項１０または１１に記載の基地局。
【請求項１３】
端末設備が、基地局により送信される上位レイヤシグナルを受け、上位レイヤシグナルが端末設備に分配された上り制御チャネル資源情報を搬送すること、または、
端末設備が自身で配置する上り制御情報の返信モード及び/又は上り制御チャネル伝送方式、及び受けた上り制御チャネル資源情報によって、基地局に相応な返信情報を送信すること、を含むことを特徴とする上がり制御チャンネル資源の分配方法。
【請求項１４】
端末設備に配置する上り制御チャネル情報の返信モード及び/又は伝送方式は、
端末設備に、ACK/NACKを多重伝送する返信モードの返信ACK/NACK情報、または、単一アンテナポートでPUCCHを伝送するよう配置すること、
端末設備に、ACK/NACKを複合伝送する返信モードの返信ACK/NACK情報の使用、または、単一アンテナポートで、PUCCHを伝送するよう配置すること、
端末設備に、ACK/NACKを複合伝送する返信モードの返信ACK/NACK情報を使用し、SORDT方式で生成した送信サブセットでPUCCHを伝送するよう配置すること、又は、
端末設備に、ACK/NACKを多重伝送する返信モードの返信ACK/NACK情報を使用し、SORDT方式で生成した送信サブセットでPUCCHを伝送するよう配置すること、を含むことを特徴とする請求項１３に記載の方法。
【請求項１５】
端末設備が、ACK/NACKを多重伝送する返信モードの返信ACK/NACK情報を使用し、単一アンテナポートでPUCCHを伝送するよう配置される場合、端末設備が受ける、基地局から送信される上位レイヤシグナルによって搬送された上り制御チャネル資源情報は、
現在のシステムのタイプがFDDシステムである場合、前記基地局が端末設備にPUCCH format 1/1a/1bフォーマットの上り制御チャネル資源を一つ分配すること、または、
現在のシステムのタイプがTDDシステムである場合、前記基地局がプリセットされた規則によって、端末設備に相応数量のPUCCH format 1/1a/1bフォーマットの上り制御チャネル資源を分配すること、を含むことを特徴とする請求項１４に記載の方法。
【請求項１６】
上り制御チャネル資源情報が一つのPUCCH format 1/1a/1bフォーマットの上り制御チャネル資源であると、端末設備が自身で配置する上り制御情報の返信モード及び/又は上り制御チャネル伝送方式、及び受けられる上り制御チャネル資源情報によって、基地局に相応な返信情報を送信することは、
端末設備が受けた複数のデータパケットに対応する返信情報を多重化した後、前記PUCCH format 1/1a/1bフォーマットの上り制御チャネル資源の中で前記多重化後の返信情報を伝送すること、または、
端末設備がいかなるデータパケットも受けない状況の存在、又はデータパケット紛失の状況の存在が確定された場合、前記端末設備が前記基地局への返信情報送信を廃棄すること、を含むことを特徴とする請求項１５に記載の方法。
【請求項１７】
上り制御チャネル資源情報が相応数量のPUCCH format 1/1a/1bフォーマットの上り制御チャネル資源であると、端末設備が自身で配置する上り制御情報の返信モード及び/又は上り制御チャネル伝送方式、及び受けた上り制御チャネル資源情報によって、基地局に相応な返信情報を送信することが、
端末設備が受けた複数のデータパケットに対応する返信情報を多重化した後、相応数量のPUCCH format 1/1a/1bフォーマットの上り制御チャネル資源で実際受けたデータ伝送のある最後の下りサブ・フレームと対応する一つの上り制御チャネル資源の中で前記多重化後の返信情報を伝送すること、または、
端末設備がいかなるデータパケットも受けない状況の存在、又はデータパケット紛失の状況の存在が確定した場合、端末設備は基地局への返信情報の送信を廃棄すること、を含むことを特徴とする請求項１５に記載の方法。
【請求項１８】
端末設備にACK/NACKを複合伝送する返信モードの返信ACK/NACK情報の使用し、単一アンテナポートでPUCCHを伝送する場合、および端末設備がPUCCH format 2/2a/2bフォーマットでマルチビットACK/NACK情報を伝送する場合、端末設備により受信され、前記基地局から送信された上位レイヤシグナルで搬送された上り制御チャネル資源情報を、端末設備により分配することが、
現在のシステムのタイプがFDDシステムである場合、基地局が端末設備に一つのPUCCH format 2/2a/2bフォーマットの上り制御チャネル資源を分配すること、または、
現在のシステムのタイプがTDDシステムである場合、基地局が返信窓口の大きさ、各下り搬送波伝送モードと端末設備の能力情報とによって、端末設備に一つ又は複数のPUCCH format 2/2a/2bフォーマットの上り制御チャネル資源を分配すること、を含むことを特徴とする請求項１５に記載の方法。
【請求項１９】
上り制御チャネル資源情報が一つのPUCCH format 2/2a/2bフォーマットの上り制御チャネル資源であると、端末設備が自身で配置した上り制御情報の返信モード及び/又は上り制御チャネル伝送方式に受けた上り制御チャネル資源情報によって、基地局に相応な返信情報を送信することが、
端末設備が受けた複数のデータパケットに対応する返信情報を連鎖コーディングした後、PUCCH format 2/2a/2bフォーマットの上り制御チャネル資源で返信情報を伝送することを含むことを特徴とする請求項１５に記載の方法。
【請求項２０】
上り制御チャネル資源情報が一つ又は複数のPUCCH format 2/2a/2bフォーマットの上り制御チャネル資源であると、端末設備が自身で配置した上り制御情報の返信モード及び/又は上り制御チャネル伝送方式及び受けた上り制御チャネル資源情報によって、基地局に相応な返信情報を送信することが、
端末設備のパワー又は上り伝送能力が限られる場合、返信情報の大きさがプリセットされた閾値を超えていないと、端末設備が返信情報を連鎖コーディングした後、一つのPUCCH format 2/2a/2bフォーマットの上り制御チャネル資源で前記の返信情報を伝送することに対し、返信情報の大きさがプリセットされた閾値を超えた場合、端末設備が一部分の返信情報を多重化し、連鎖コーディングした後、一つのPUCCH format 2/2a/2bフォーマットの上り制御チャネル資源で多重化後の返信情報を伝送すること、または、
端末設備のパワー又は上り伝送能力が限らない場合、返信情報の大きさがプリセットされた閾値を超えていないと、端末設備が各返信情報を連鎖コーディングした後、複数のPUCCH format 2/2a/2bフォーマットの上り制御チャネル資源で返信情報を伝送し、返信情報の大きさがプリセットされた閾値を超えた場合、端末設備が一部分の返信情報を多重化し、連鎖コーディングした後、複数のPUCCH format 2/2a/2bフォーマットの上り制御チャネル資源で多重化後の返信情報を伝送すること、を含むことを特徴とする請求項１８に記載の方法。
【請求項２１】
端末設備に、ACK/NACKを複合伝送する返信モードの返信ACK/NACK情報を使用し、単一アンテナポートの使用でPUCCHを伝送するよう配置した場合、端末設備がPUCCH format 1b with channel selection方式でマルチビットACK/NACK情報を伝送すると、端末設備が自身で配置した上り制御情報の返信モード及び/又は上り制御チャネル伝送方式及び受けられる上り制御チャネル資源情報によって、基地局に相応な返信情報を送信することが、
現在のシステムのタイプがFDDシステムであると、ACK/NACKビット数が4より大きい場合、端末設備がまず同じ下り搬送波で異なるコードに対応する返信情報を多重化し、返信情報の状態によって、複数のPUCCH format 1/1a/1bフォーマットの上り制御チャネル資源から一つの相応な上り制御チャネル資源を選び、伝送待ち返信情報を生成し、または、基地局に伝送待ち返信情報を伝送すること、または
現在のシステムのタイプがTDDシステムであると、ACK/NACKビット数が4より大きい場合、端末設備がまず同じ下りサブ・フレームで異なる下り搬送波でのデータパケットに対応する返信情報を多重化し、又は同じ下り搬送波で、異なる下りサブ・フレームでのデータパケットに対応する返信情報を多重化して、返信情報の状態によって、複数のPUCCH format 1/1a/1bフォーマットの上り制御チャネル資源から一つの相応な上り制御チャネル資源を選び、伝送待ち返信情報を生成して、基地局に伝送待ち返信情報を伝送すること、を含むことを特徴とする請求項１４に記載の方法。
【請求項２２】
端末設備に、SORDT方式で生成される送信サブセットを使用してPUCCHを伝送すると配置される場合、端末設備が自身で配置される上り制御情報の返信モード及び/又は上り制御チャネル伝送方式及び受けられる上り制御チャネル資源情報によって、基地局に相応な返信情報を送信することが、
端末設備が自身で配置した上り制御情報の返信モード及び/又は上り制御チャネル伝送方式及び受けた上り制御チャネル資源情報によって、相応数量の上り制御チャネル資源対を通じて、基地局に相応な返信情報を送信することを含むことを特徴とする請求項１５乃至２１のいずれか１項に記載の方法。
【請求項２３】
端末設備であって、
上り制御情報の返信モード及び/又は上り制御チャネル伝送方式置用の設置モジュールと、
基地局により送信した上位レイヤシグナル受取用の受信モジュール（前記上位レイヤシグナルで前記端末設備により分配した上り制御チャネル資源情報が搬送される）、または、設置モジュールにより設置した上り制御情報の返信モード及び/又は上り制御チャネル伝送方式及び受信モジュールにより受けた上り制御チャネル資源情報によって、相応な上り制御チャネル資源を選択する選択モジュールと、
選択モジュールにより選択される上り制御チャネル資源によって、基地局に相応な返信情報を送信する送信モジュールと、を含むことを特徴とする端末設備。
【請求項２４】
設置モジュールにより設置した上り制御情報の返信モード及び/又は上り制御チャネル伝送方式は、
端末設備に、ACK/NACKを多重伝送する返信モードの返信ACK/NACK情報、または、単一アンテナポートの使用でPUCCHを伝送するよう配置すること、
端末設備に、ACK/NACKを複合伝送する返信モードの返信ACK/NACK情報、または、単一アンテナポートの使用でPUCCHを伝送するよう配置すること、
端末設備に、ACK/NACKを複合伝送する返信モードの返信ACK/NACK情報を使用し、または、SORDT方式で生成した送信サブセットでPUCCHを伝送するよう配置すること、又は、
端末設備に、ACK/NACKを多重伝送する返信モードの返信ACK/NACK情報を使用し、または、SORDT方式で生成した送信サブセットでPUCCHを伝送するよう配置することを含むことを特徴とする請求項２３に記載の端末設備。
【請求項２５】
端末設備に、ACK/NACKを多重伝送する返信モードの返信ACK/NACK情報を使用し、または、単一アンテナポートの使用でPUCCHを伝送するよう配置した場合、
現在のシステムのタイプがFDDシステムであるとすると、基地局が端末設備に一つのPUCCH format 1/1a/1bフォーマットの上り制御チャネル資源を分配し、送信モジュールが受けた複数のデータパケットに対応する返信情報を多重化した後、PUCCH format 1/1a/1bフォーマットの上り制御チャネル資源で多重化後の返信情報を伝送し、端末設備がいかなるデータパケットも受けない状況、又はデータパケット紛失の状況があると確定した場合、端末設備が基地局への返信情報送信を廃棄すること、または、
現在のシステムのタイプがTDDシステムであるとすると、基地局がプリセットされた規則によって、端末設備に相応数量のPUCCH format 1/1a/1bフォーマットの上り制御チャネル資源を分配し、送信モジュールが受けた複数のデータパケットに対応する返信情報を多重化した後、選択モジュールにより選ばれる相応数量のPUCCH format 1/1a/1bフォーマットの上り制御チャネル資源で、実際に受けたデータ伝送のある最後の下りサブ・フレームと対応する一つの上り制御チャネル資源で多重化後の返信情報を伝送し、端末設備がいかなるデータパケットも受けない状況、又はデータパケット紛失の状況があると確定した場合、端末設備が基地局への返信情報送信を廃棄することを特徴とする請求項２４に記載の端末設備。
【請求項２６】
端末設備に、ACK/NACKを複合伝送する返信モードの返信ACK/NACK情報を使用し、単一アンテナポートの使用でPUCCHを伝送するよう配置され、設置モジュールがPUCCH format 2/2a/2bフォーマットでマルチビットACK/NACK情報を伝送する場合は、
現在のシステムのタイプがFDDシステムとすると、基地局が前記端末設備に一つのPUCCH format 2/2a/2bフォーマットの上り制御チャネル資源を分配し、送信モジュールが複数の受けたデータパケットに対応する返信情報に対して連鎖コーディングをした後、PUCCH format 2/2a/2bフォーマットの上り制御チャネル資源で多重化後の返信情報を伝送すること、または、
現在のシステムのタイプがTDDシステムとすると、基地局が返信窓口の大きさ、各下り搬送波伝送モード及び端末設備の能力情報によって、端末設備に一つ又は複数のPUCCH format 2/2a/2bフォーマットの上り制御チャネル資源を分配し、端末設備のパワー又は上り伝送能力が限られるとき、返信情報の大きさがプリセットされた閾値を超えないとすれば、端末設備が返信情報に対して連鎖コーディングをした後、一つのPUCCH format 2/2a/2bフォーマットの上り制御チャネル資源で返信情報を伝送し、また、返信情報の大きさがプリセットされた閾値を超えたとすると、送信モジュールが一部分の返信情報を多重化し、連鎖コーディングをした後、一つのPUCCH format 2/2a/2bフォーマットの上り制御チャネル資源で前記多重化後の返信情報を伝送し、端末設備のパワー又は上り伝送能力が限られず、返信情報の大きさがプリセットされた閾値を超えないとすれば、送信モジュールが各返信情報に対して連鎖コーディングをした後、複数のPUCCH format 2/2a/2bフォーマットの上り制御チャネル資源で前記返信情報を伝送し、また、返信情報の大きさがプリセットされた閾値を超えると、送信モジュールが一部分の返信情報を多重化し、連鎖コーディングをした後、複数のPUCCH format 2/2a/2bフォーマットの上り制御チャネル資源で多重化後の返信情報を伝送することを特徴とする請求項２４に記載の端末設備。
【請求項２７】
端末設備に、ACK/NACKを複合伝送する返信モードの返信ACK/NACK情報の使用し、単一アンテナポートの使用でPUCCHを伝送するよう配置し、端末設備がPUCCH format 1b with channel selection方式でマルチビットACK/NACK情報を伝送するよう設置した場合、現在のシステムのタイプがFDDシステムであるとすると、ACK/NACKビット数が4より大きいとき、送信モジュールがまず同じ下り搬送波での異なるコードに対応する返信情報を多重化し、送信モジュールが返信情報の状態によって、複数のPUCCH format 1/1a/1bフォーマットの上り制御チャネル資源から一つの相応な上り制御チャネル資源を選び、伝送待ち返信情報を生成し、基地局に前記伝送待ち返信情報を伝送すること、または、現在のシステムのタイプがTDDシステムである場合、ACK/NACKビット数が4より大きいとき、送信モジュールがまず同じ下りサブ・フレームでの異なる下り搬送波でのデータパケットに対応する返信情報を多重化し、又は同じ下り搬送波での異なる下りサブ・フレームでのデータに対応する返信情報を多重化し、送信モジュールが返信情報の状態によって、複数のUCCH format 1/1a/1bフォーマットの上り制御チャネル資源から一つの相応な上り制御チャネル資源を選び、伝送待ち返信情報を生成し、基地局に前記伝送待ち返信情報を伝送することを特徴とする請求項２４に記載の端末設備。
【請求項２８】
設置モジュールがSORDT方式で生成した送信サブセットでPUCCHを伝送するよう配置する場合、送信モジュールが設置モジュールの上り制御情報の返信モード及び/又は上り制御チャネル伝送方式、及び受けられる上り制御チャネル資源情報によって、相応数量の上り制御チャネル資源対を通じて、基地局に相応な返信情報を送信することを特徴とする請求項２６または２７に記載の端末設備。
【発明の詳細な説明】
【技術分野】
【０００１】
本出願は、2010年3月29日に中国国家知識産権局に提出された、出願番号が201010136326.9で、発明の名称が「上り制御チャネル資源の確定方法と設備」である中国特許申請の優先権を主張し、その内容全体は引用により本出願に導入される。
【０００２】
本発明は、通信技術分野に関し、特に一種の上り制御チャネル資源の確定方法と設備に関する。
【背景技術】
【０００３】
LTE（Long Term Evolution、長期進化）システムは、HARQ（Hybrid Auto Repeat Request，混合自動再伝送請求）を採用して、データ伝送の信頼性を向上し、下りHARQ機能起動後、UE（User Equipment、ユーザ設備）は、受けられる下りデータパケットに対して復号化を行い、復号化が正しい場合、基地局にACK（ACKnowledge Character、確認文字）を返信し、復号化が失敗すると、基地局にNACK（Negative ACKnowledgment Character、否定文字）を返信して、基地局に当該データパケットを改めて伝送するよう要求する。下り持続スケジューリング業務が終了した後、基地局がUEにSPS（Semi-Persistent Scheduling、半静態スケジューリング）資源解放指示を送信し、UEに当該業務に分配されるすべての資源を解放するよう通知し、UEが当該指示を正しく受けた後、基地局にACKを返信する。
【０００４】
長期進化マルチ搬送波システムにとって、LTEシステムより広いシステム帯域幅、例えば、100MHzを支持するために、一種の可能性は、直接に100M帯域幅の周波数スペクトルを分配することで、図1に示すようである。その他の一種の可能性は、従来システムに分配された一部分の周波数スペクトルを重合して、大きい帯域幅を作りあげて長期進化マルチ搬送波システムの使用に備えることである。このとき、システムでの上り・下り搬送波が非対称に配置され、即ち、ユーザがN≧1個の搬送波を占用して、下り伝送を行うと同時に、M≧1個の搬送波を占用して上り伝送を行う可能性があり、図2に示すようである。
【０００５】
現在、標準化作業が殆ど完成したLTEシステム（Rel-8）の基本的な伝送方式が下記の通り、即ち、FDD（Frequency Division Duplex、周波数分割二重通信）システムとTDD（Time Division Duplex、時分割二重通信）がそれぞれ図3、4に示すようである。
【０００６】
各作業搬送波に対して、それぞれ下りシグナル、下りデータ、上りシグナルと上りデータ、及び互いの伝送関係を定義した。上り制御シグナルは、周波数バンドの両端を占め、周波数ホッピング方式で伝送され、即ち、一つのサブ・フレーム内の二つのタイム・スロットの中で、上り制御シグナルは、異なる周波数バンドを占用して伝送される。上りサブ・フレームで載せる必要のある制御チャネルの数量を動態に了解できないので、システムは、上りサブ・フレームに一定の資源を保留して、上り制御チャネル伝送に備える。
【０００７】
動態に配置されるACK/NACK返信にとって、返信を行うUEは、受けられるPDCCH（Physical Downlink Control Channel、物理下り制御チャネル）が占用するCCE（Control Channel Element、制御チャネルユニット）コード（ｎCCE）によって、ACK/NACK返信を実施するときに使用する資源（即ち、チャネル）コード（ｎAN）、即ち、各PDCCHが対応する一つの利用できる上り制御チャネル資源（伝送可PUCCH format 1/1a/1b）を計算する。
【０００８】
下り伝送でHARQ機能起動後、UEは下りサブ・フレームｎ−ｋ上のデータの復調、復号化を完成した後、上りサブ・フレームｎで、基地局の当該下りサブ・フレームでのデータの再度伝送が要るかどうかのシグナル（即ち、ACK/NACK）を返信する。
【０００９】
FDDシステムについて、ｋ＝４となる。TDDシステムについて、ｋ∈Ｋとなり、集合Ｋの値がシステムの上下り配置及び具体的なサブ・フレームのコードと関わり、表1に示すようである。
【００１０】
表1   ＴＤＤについての下り関連集合指数Ｋ:｛ｋ0，ｋ1，・・・ｋM-1｝
【表１】
2013524583.tif 000003
【００１１】
その中で、複数の無線フレームを組織的に配列し、即ち、無線フレームａでの最後のサブ・フレームがｋであると、無線フレームａ＋１での一つ目のサブ・フレームがｋ＋１で、表2は、一つの無線フレームを例として、各上りサブ・フレームに対応するＫの状況を説明し、その中でｎ−ｋ＜０であることは、前の一つの一無線フレームでの下りサブ・フレームを表す。
【００１２】
現在、長期進化システム上り制御チャネルの研究では、複数の発射アンテナが配置されたUEに対して、上り制御チャネル伝送を行うときに、SORTD（Spatial Orthogonal Resource Transmit Diversity、空間直交資源送信ダイバーシティ）の方式でサブセット送信を実現できるので、上り制御シグナル伝送の信頼性又は容量を向上できることが提示されている。SORTDというのは、各アンテナポートが一つの上り制御チャネル資源に対応し、同じ情報が異なるアンテナポートでの資源コードで選択された直交序列スペクトラムにより拡散された後、相応なアンテナポートを通じて同時に送信される。受け側が異なるアンテナポートからの信号を分離した後、多重検定を行うことによって、サブセット利得を取得する。
【００１３】
図5は、二つのアンテナポートの場合、SORTDでサブセット送信を実施する略図である。その中で、ｓが返信されるACK/NACK情報で、
【数１】
2013524583.tif 000004
と、
【数２】
2013524583.tif 000005
がそれぞれ二つのアンテナポートでの二つの異なる上り制御チャネル資源コードに対応する直交スペクトラム拡散序列を表す。UEは、この二つの返信チャネルでACK/NACK情報を返信し、PUCCHの送信サブセットを実現する。
【００１４】
この上、LTE-A（Long Term Evolution Advanced、高級長期進化）システムで、搬送波重合を行うUEは、一つの配置の上り主搬送波だけでPUCCH（Physical Uplink Control Channel、物理上り制御チャネル）を伝送できる。
【発明の概要】
【発明が解決しようとする課題】
【００１５】
本発明の実施形態を実現するプロセスで、出願人は、従来技術に少なくとも下記の問題が存在することを見出した。
【００１６】
長期進化マルチ搬送波システムで、搬送波重合を使用するとき、各上り搬送波内に各下り搬送波のために相応な返信資源を保留すると、上り搬送波に重大な資源の無駄が存在し、酷くなると、利用できる上り資源がなく、データ伝送ができなくなり、これでシステムの伝送効率に重大な影響を与える。
【課題を解決するための手段】
【００１７】
本発明の実施形態は、一種の上り制御チャネル資源の確定方法と設備を提供し、上り制御チャネル資源の静態分配を実現する。
【００１８】
上述の目的を達成するために、本発明の実施形態は、一方で、一種の上り制御チャネル資源の分配方法を提供し、その分配方法は、
基地局が端末設備により配置される上り制御情報の返信モード及び/又は上り制御チャネルの伝送方式を識別することと、
前記基地局が前記識別結果によって、前記端末設備に上位レイヤシグナルを送信し、前記端末設備に上り制御チャネル資源を分配することと、を含む。
【００１９】
一方で、本発明の実施形態は一種の基地局を提供し、その基地局は、
端末設備により配置される上り制御情報の返信モード及び/又は上り制御チャネルの伝送方式を識別する識別用の識別モジュールと、
前記識別モジュールの識別結果によって、前記端末設備に上位レイヤシグナルを送信し、前記端末設備に上り制御チャネル資源を分配する分配モジュールと、を含む。
【００２０】
一方で、本発明の実施形態も一種の上り制御チャネル資源の分配方法を提供し、その分配方法は、
端末設備が基地局により送信される上位レイヤシグナルを受け、前記上位レイヤシグナルで前記端末設備に分配される上り制御チャネル資源情報が搬送されることと、
前記端末設備が自身で配置される上り制御情報の返信モード及び/又は上り制御チャネルの伝送方式、及び受けられる上り制御チャネル資源情報によって、前記基地局に相応な返信情報を送信することと、を含む。
【００２１】
一方で、本発明の実施形態は一種の端末設備を提供し、その端末設備は、
上り制御情報の返信モード及び/又は上り制御チャネルの伝送方式の設置用設置モジュールと、
基地局により送信される上位レイヤシグナル受取用の受信モジュール（前記上位レイヤシグナルで前記端末設備に分配される上り制御チャネル資源情報が搬送される）と、
前記設置モジュールにより設置される上り制御情報の返信モード及び/又は上り制御チャネルの伝送方式、及び前記受信モジュールにより受け取られる上り制御チャネル資源情報によって、相応な上り制御チャネル資源を選択する選択モジュールと、
前記選択モジュールにより選択される上り制御チャネル資源を通じて、前記基地局に相応な返信情報を送信する送信モジュールとを、を含む。
【発明の効果】
【００２２】
従来技術と比べて、本発明の実施形態は、下記の優位性を持つ。
【００２３】
本発明の実施形態の技術的解決方法によって、半静態方式でACK/NACK等の上り制御資源を配置できる。当該方法は簡単で、実施し易く、また、FDD及びTDDシステムに適用可能である。長期進化搬送波重合システムにとって、システムでの上り返信チャネル出費を低減できて、長期進化マルチ搬送波アップグレードシステムのシステム性能を向上できると同時に、LTE Release 8システムと良く両立できる。
【００２４】
本発明の実施形態又は従来技術での技術的解決法をより明確に説明するために、次に実施形態又は従来技術の説明で使用する必要のある添付図面を簡単に説明する。明確に理解されることとしては、次で説明する添付図面が僅か本発明の一部分の実施形態であり、本技術分野における通常の技術者にとって、創作的活動を行うことなく、これらの添付図面によってその他の添付図面を取得できる。
【図面の簡単な説明】
【００２５】
【図１】従来技術での単一周波数スペクトルシステムの略図である。
【図２】従来技術での周波数スペクトル重合システムの略図である。
【図３】従来技術でのFDDシステムの略図である。
【図４】従来技術でのTDDシステムの略図である。
【図５】従来技術での二つのアンテナポート送信サブセットの略図である。
【図６】本発明の実施形態で提示される一種の上り制御チャネル資源の確定方法の基地局側でのフローである。
【図７】本発明の実施形態で提示される一種の上り制御チャネル資源の確定方法の端末設備側でのフローである。
【図８】本発明の実施形態で提示される一種の基地局のブロック図である。
【図９】本発明の実施形態で提示される一種の端末設備のブロック図である。
【発明を実施するための形態】
【００２６】
次に本発明の実施形態の添付図面に基づいて、本発明の実施形態での技術的解決法を明確に且つ完全に説明する。勿論、説明する実施形態は僅か本発明の一部分の実施形態で、全部の実施形態ではない。本発明の実施形態に基づいて、本技術分野の通常の技術者が創作的活動を行わなくても得られるその他の実施形態は、全部本発明の保護範囲に属する。
【００２７】
従来技術で存在する問題を解決するために、本発明の実施形態は、LTEシステムとの両立性を考慮して、一種の上り制御チャネル資源の確定方法を提供する。
【００２８】
周波数スペクトル重合技術を使用する長期進化多重搬送波システムにとって、その上り制御チャネルが一つの上り搬送波だけで伝送できて、UEがマルチ下り搬送波でデータを受け取るとき、各データに対応するACK/NACK返信チャネル資源をどのように確定するかについて、確定的な方法がない。
【００２９】
R8の方法で暗黙式通知を行うと、各種の比例の非対称重合を柔軟に支持したい場合、システムが各上り搬送波内に各下り搬送波のために相応な返信資源を保留しなければならない。このとき、上り搬送波に重大な資源の無駄が存在し、酷くなると、使用できる上り資源がないため、データ伝送を行えないので、これはシステムの伝送効率に重大な影響を与える。
【００３０】
本発明は、一種の半静態方式の資源配置の方法を提供し、各上り構成搬送波内で保留される制御チャネル資源数量を著しく低減することによって、上り伝送効率を向上できる。
【００３１】
図6で示すように、本発明の実施形態により提示される一種の上り制御チャネル資源の確定方法のフローであり、当該方法は、具体的に下記の手順を含む。
【００３２】
手順S601では、基地局が、端末設備により配置される上り制御情報の返信モード及び/又は上り制御チャネルの伝送方式を識別する。
【００３３】
その中で、基地局により識別される端末設備により配置される上り制御情報の返信モード及び/又は上り制御チャネルの伝送方式が具体的に下記の状況、即ち、
端末設備に、ACK/NACKを多重伝送する返信モードの返信ACK/NACK情報を使用し、単一アンテナポートを使用してPUCCHを伝送するよう配置される場合と、
端末設備に、ACK/NACKを複合伝送する返信モードの返信ACK/NACK情報を使用し、単一アンテナポートを使用してPUCCHを伝送するよう配置される場合と、
端末設備に、ACK/NACKを複合伝送する返信モードの返信ACK/NACK情報を使用し、SORDT方式で生成される送信サブセットを使用してPUCCHを伝送するよう配置される場合と、
端末設備に、ACK/NACKを多重伝送する返信モードの返信ACK/NACK情報を使用し、SORDT方式で生成される送信サブセットを使用してPUCCHを伝送するよう配置される場合と、を含む。
【００３４】
実際、応用例では、具体的には、どの状況を採用するかは具体的な配置状況次第であり、基地局が、実際のニーズによって、端末設備がどの方式を採用するかを調整して配置することができる。このような変化は本発明の保護範囲に影響を与えない。
【００３５】
手順S602では、基地局が識別結果によって、端末設備に上位レイヤシグナルを送信し、端末設備に上り制御チャネル資源を分配する。
【００３６】
前記手順S601での識別結果と合わせて、本手順は具体的に下記の四種類の状況に分ける。
【００３７】
基地局により識別される端末設備に、ACK/NACKを多重伝送する返信モードの返信ACK/NACK情報を使用し、単一アンテナポートを使用してPUCCHを伝送するよう配置される場合、本手順は具体的に下記事項を含む。
【００３８】
現在のシステムのタイプがFDDシステムであると、基地局が端末設備に一つのPUCCH format 1/1a/1bフォーマットの上り制御チャネル資源を分配する。
【００３９】
現在のシステムのタイプがTDDシステムであると、基地局がプリセットされた規則によって、端末設備に相応数量のPUCCH format 1/1a/1bフォーマットの上り制御チャネル資源を分配する。
【００４０】
基地局が、端末設備に、ACK/NACKを複合伝送する返信モードの返信ACK/NACK情報を使用し、単一アンテナポートを使用してPUCCHを伝送するよう配置されることを識別する場合、基地局はまた端末設備によりマルチビットACK/NACK情報が伝送されるフォーマットを識別する必要がある。
【００４１】
基地局により、端末設備がPUCCH format 2/2a/2bフォーマットでマルチビットACK/NACK情報を伝送すると識別される場合、本手順は具体的に下記事項を含む。
【００４２】
現在のシステムのタイプがFDDシステムであると、基地局が端末設備に一つのPUCCH format 2/2a/2bフォーマットの上り制御チャネル資源を分配すること、及び、
現在のシステムのタイプがTDDシステムであると、基地局が返信窓口の大きさ、各下り搬送波の伝送モード及び端末設備の能力情報によって、端末設備に一つ又は複数のPUCCH format 2/2a/2bフォーマットの上り制御チャネル資源を分配すること、である。
【００４３】
その中で、同じサブ・フレーム内でACK/NACK返信を行う複数の下り搬送波及び下りサブ・フレームは本明細書では「返信窓口」と略称される。
【００４４】
FDDシステムにとって、返信窓口の大きさLは配置される下り搬送波集合の大きさ又は配置される下り搬送波集合で活性化される搬送波の数量である。
【００４５】
TDDシステムにとって、返信窓口の大きさL=N×Mで、その中で、Nが配置される下り搬送波集合の大きさ又は配置される下り搬送波集合で活性化された搬送波の数量であり、Mが同じ上りサブ・フレームで実施する返信の下りサブ・フレーム数量であり、異なる上下り配置及び上りサブ・フレームにとって、Mの値が異なり、即ち、表1で各欄のKの数量である。
【００４６】
もう一方では、基地局は、識別された端末設備がPUCCH format 1b with channel selection方式でマルチビットACK/NACK情報を伝送するとき、本手順は具体的に下記の事項を含む。
【００４７】
現在のシステムのタイプがFDDシステムであると、基地局が返信窓口の大きさ及び各下り搬送波の伝送モードによって、端末設備に相応数量のPUCCH format 1/1a/1bフォーマットの上り制御チャネル資源を分配すること、及び、
現在のシステムのタイプがTDDシステムであると、基地局がプリセットされた規則によって、端末設備に相応数量のPUCCH format 1/1a/1bフォーマットの上り制御チャネル資源を分配すること、である。
【００４８】
状況三及び状況四では、基地局が端末設備に、SORDT方式で生成される送信サブセットを使用してPUCCHを伝送するよう配置されることを識別する場合、基地局が識別結果によって、端末設備に上位レイヤシグナルを送信する。端末設備に上り制御チャネル資源を分配する規則が前記の状況一及び状況二と類似するが、基地局が端末設備に相応数量の上り制御チャネル資源対を分配することは例外である。
【００４９】
前記の実施形態は、本発明の実施形態で提示される上り制御チャネル資源の分配方法の基地局側での実現フローを説明し、相応的に、本発明の実施形態は、更に上り制御チャネル資源の分配方法の端末設備側での実現フローを提示して、そのフローは図7で示すように、下記の手順を含む。
【００５０】
手順S701では、端末設備が基地局により送信される上位レイヤシグナルを受け、上位レイヤシグナルで端末設備により分配される上り制御チャネル資源情報が搬送される。
【００５１】
手順S702では、端末設備が自身で配置される上り制御情報の返信モード及び/又は上り制御チャネルの伝送方式及び受けられる上り制御チャネル資源情報によって、基地局に相応な返信情報を送信する。
【００５２】
その中で、端末設備により配置される上り制御情報の返信モード及び/又は上り制御チャネルの伝送方式が手順S601での四つの状況と対応し、具体的に下記の四つのタイプを含む。
【００５３】
タイプ一では、端末設備に、ACK/NACKを多重伝送する返信モードの返信ACK/NACK情報を使用し、単一アンテナポートを使用してPUCCHを伝送すると配置される。
【００５４】
タイプ二では、端末設備に、ACK/NACKを複合伝送する返信モードの返信ACK/NACK情報を使用し、単一アンテナポートを使用してPUCCHを伝送すると配置される。
【００５５】
タイプ三では、端末設備に、ACK/NACKを複合伝送する返信モードの返信ACK/NACK情報を使用し、SORDT方式で生成された送信サブセットでPUCCHを伝送するよう配置される。
【００５６】
タイプ四では、端末設備に、ACK/NACKを多重伝送する返信モードの返信ACK/NACK情報を使用し、SORDT方式で生成された送信サブセットでPUCCHを伝送するよう配置される。
【００５７】
実際の応用例では、具体的に採用するタイプは具体的な配置状況次第であり、基地局が、実際のニーズによって、端末設備がどのタイプを採用するかを調整して配置することができる。そして、このような変化は本発明の保護範囲に影響を与えない。
【００５８】
前記各種のタイプの設定と相応して、本手順の具体的な処理方式は、下記複数の状況を含む。
【００５９】
状況一は、前記のタイプ一に対応し、端末設備に、ACK/NACKを多重伝送する返信モードの返信ACK/NACK情報を使用し、単一アンテナポートを使用してPUCCHを伝送するよう配置される。
【００６０】
1．現在のシステムのタイプがFDDシステムであると、基地局が端末設備に一つのPUCCH format 1/1a/1bフォーマットの上り制御チャネル資源を分配し、本手順の具体的な実現フローが下記の通りである。
【００６１】
端末設備が受けられる複数のデータパケットに対応する返信情報を多重化した後、PUCCH format 1/1a/1bフォーマットの上り制御チャネル資源で多重化後の返信情報を伝送する。
【００６２】
端末設備がいかなるデータパケットも受けない状況の存在、又はデータパケット紛失の状況の存在が確定される場合、端末設備が基地局への返信情報の送信を廃棄する。
【００６３】
2．現在のシステムのタイプがTDDシステムであると、基地局がプリセットされた規則によって、端末設備に相応数量のPUCCH format 1/1a/1bフォーマットの上り制御チャネル資源を分配し、本手順の具体的な実現フローが下記の通りである。
【００６４】
端末設備が受けられる複数のデータパケットに対応する返信情報を多重化した後、相応数量のPUCCH format 1/1a/1bフォーマットの上り制御チャネル資源で実際受けるデータ伝送のある最後の下りサブ・フレームと相応する一つの上り制御チャネル資源で多重化後の返信情報を伝送する。
【００６５】
端末設備がいかなるデータパケットも受けない状況の存在、又はデータパケット紛失の状況の存在が確定される場合、端末設備が基地局への返信情報の送信を廃棄する。
【００６６】
状況二は、前記のタイプ二に対応し、端末設備に、ACK/NACKを複合伝送する返信モードの返信ACK/NACK情報を使用し、単一アンテナポートを使用してPUCCHを伝送すると配置される。
【００６７】
1．端末設備がPUCCH format 2/2a/2bフォーマットでマルチビットACK/NACK情報を伝送する場合。
【００６８】
（1）現在のシステムのタイプがFDDシステムであると、基地局が端末設備に一つのPUCCH format 2/2a/2bフォーマットの上り制御チャネル資源を分配する。
【００６９】
端末設備が受けられる複数のデータパケットに対応する返信情報を連鎖コーディングした後、PUCCH format 2/2a/2bフォーマットの上り制御チャネル資源で返信情報を伝送する。
【００７０】
（2）現在のシステムのタイプがTDDシステムであると、基地局が返信窓口の大きさ、各下り搬送波の伝送モードと端末設備の能力情報によって、端末設備に一つの又は複数のPUCCH format 2/2a/2bフォーマットの上り制御チャネル資源を分配する。
【００７１】
端末設備のパワー又は上り伝送能力が限られる場合、返信情報の大きさがプリセットされた閾値を超えていないと、前記端末設備が返信情報を連鎖コーディングした後、一つのPUCCH format 2/2a/2bフォーマットの上り制御チャネル資源で当該返信情報を伝送し、返信情報の大きさがプリセットされた閾値を超えると、端末設備が一部分の返信情報を多重化し、連鎖コーディングした後、一つのPUCCH format 2/2a/2bフォーマットの上り制御チャネル資源で多重化後の返信情報を伝送する。
【００７２】
端末設備のパワー又は上り伝送能力が限られない場合、返信情報の大きさがプリセットされた閾値を超えていないと、端末設備が各返信情報を連鎖コーディングした後、複数のPUCCH format 2/2a/2bフォーマットの上り制御チャネル資源で返信情報を伝送し、返信情報の大きさがプリセットされた閾値を超えると、端末設備が一部分の返信情報を多重化し、連鎖コーディングした後、複数のPUCCH format 2/2a/2bフォーマットの上り制御チャネル資源で多重化後の返信情報を伝送する。
【００７３】
2．端末設備がPUCCH format 1b with channel selection方式でマルチビットACK/NACK情報を伝送する場合。
【００７４】
現在のシステムのタイプがFDDシステムであると、返信待ち情報のビット数が4より大きいとき、端末設備がまず同じ下り搬送波での異なるコード文字に対応する返信情報を多重化し、端末設備が返信情報の状態によって、複数のPUCCH format 1/1a/1bフォーマットの上り制御チャネル資源から一つの相応な上り制御チャネル資源を選択し、伝送待ち返信情報を生成し、基地局に伝送待ち返信情報を伝送する。
【００７５】
現在のシステムのタイプがTDDシステムであると、返信待ち情報のビット数が4より大きいとき、端末設備がまず同じ下りサブ・フレームでの異なる下り搬送波でのデータパケットに対応する返信情報を多重化し、又は同じ下り搬送波での異なる下りサブ・フレームでのデータパケットに対応する返信情報を多重化し、端末設備が返信情報の状態によって、複数のPUCCH format 1/1a/1bフォーマットの上り制御チャネル資源から一つの相応な上り制御チャネル資源を選択し、伝送待ち返信情報を生成し、基地局に伝送待ち返信情報を伝送する。
【００７６】
状況三と状況四が前記のタイプ三とタイプ四に対応し、端末設備に、SORDT方式で生成された送信サブセットでPUCCHを伝送するよう配置される場合、本手順の具体的な実現フローが下記の通りである。
【００７７】
端末設備が自身で配置される上り制御情報の返信モード及び/又は上り制御チャネル伝送方式及び受けられる上り制御チャネル資源情報によって、相応数量の上り制御チャネル資源対を通じて、基地局に相応な返信情報を送信することである。
【００７８】
従来技術と比べて、本発明の実施形態は下記の優位性を持つ。
【００７９】
本発明の実施形態の技術的解決法によって、静態方式で、ACK/NACK等の上り制御資源を配置できて、当該方法は、簡易で、実施し易く、これと同時にFDD及びTDDシステムに適用することができる。長期進化搬送波重合システムにとって、システムでの上り返信チャネル出費を低減できて、長期進化マルチ搬送波アップグレードシステムのシステム性能を向上できると同時に、LTE Release 8システムと良く両立できる
【００８０】
次に、具体的な運用場面に結びつけて、本発明の実施形態で提供される技術的解決法を説明する。
【００８１】
搬送波重合システムにとって、UEに、ACK/NACKを多重伝送する返信モードの返信ACK/NACK情報を使用し、単一アンテナポートを使用してPUCCHを伝送すると配置される場合、基地局が上位レイヤシグナルを通じて、半静態方式でUEにN個のPUCCH format 1/1a/1bフォーマットの上り制御チャネル資源を分配する。
【００８２】
FDDシステムにとって、N=1となる。UEが受けられる複数のデータパケットに対応する返信情報を多重化した後、配置されるチャネルで返信情報を伝送する。UEがいかなるデータパケットも受けない状況、又はデータパケット紛失を発見する場合、いかなる返信情報も送信しない。
【００８３】
TDDシステムにとって、Nは、表1の同じ上り・下り配置でのMの最大値であり、N個のチャネル資源がそれぞれ異なる下りサブ・フレームに対応する。例えば、上り・下り配置3にとって、基地局がUEに三つの制御チャネル資源、即ち、ｎ1、ｎ2、及びｎ3を配置する。上りサブ・フレームｎ＝２にとって、資源ｎ1に対応する下りサブ・フレームがｎ−１１で、資源ｎ2に対応する下りサブ・フレームがｎ−７であり、資源ｎ3に対応する下りサブ・フレームがｎ−６である。上りサブ・フレームｎ＝３にとって、資源ｎ1に対応する下りサブ・フレームがｎ−６で、資源ｎ2に対応する下りサブ・フレームがｎ−５で、資源ｎ3は遊休して使用されない。上りサブ・フレームｎ＝４にとって、資源ｎ1に対応する下りサブ・フレームがｎ−５で、資源ｎ2に対応する下りサブ・フレームがｎ−４で、資源ｎ3は遊休して使用されない。UEが受けられる複数のデータパケットに対応する返信情報を多重化した後、実際にデータ伝送のある最後の下りサブ・フレームに対応する上り制御チャネル資源で返信情報を伝送する。UEがいかなるデータパケットも受けない場合、又はデータパケット紛失を発見する場合、対応する返信情報も送信しない。
【００８４】
具体的な分配数量について、表2を参照されたい。
【００８５】
表2  制御チャネル資源分配数量表
【表２】
2013524583.tif 000006
【００８６】
搬送波重合システムにとって、UEにACK/NACK複合モードを使用してACK/NACK情報返信を行い、単一のアンテナポートを使用してPUCCHを伝送すると配置される場合、基地局が上位レイヤシグナルを通じて、半静態の方式で、UEに上り制御チャネル資源を分配する。
【００８７】
PUCCH format 2/2a/2bフォーマットを使用してマルチビットACK/NACK情報を伝送すると、相応な処理プロセスが下記の通りである。
【００８８】
FDDシステムにとって、上位レイヤが半静態方式でUEに一つのPUCCH format 2/2a/2bフォーマットの上り制御チャネル資源を分配する。UEがすべての返信情報を連鎖コーディングした後、配置されるチャネルで返信情報を伝送する。
【００８９】
TDDシステムにとって、上位レイヤが返信窓口の大きさL、各下り搬送波の伝送モード及びUE能力によって、半静態の方式でUEに一つ又は複数のPUCCH format 2/2a/2bフォーマットの上り制御チャネル資源を分配する。UEが返信情報を連鎖コーディングした後、配置されるチャネルで返信情報を伝送する。
【００９０】
UEパワー又は上り伝送能力が限られる（一つのPUCCHだけ伝送できる）場合、上位レイヤがUEに一つのPUCCH format 2/2a/2bフォーマットの上り制御チャネル資源を配置する。返信待ちACK/NACK情報の数量P>13ビットのとき、ACK/NACK情報の一部分を多重化し、その中で、単一コード文字伝送時に、P=Lとなり、マルチコード文字伝送時に、P=2×Lとなる。
【００９１】
UEパワー及び上り伝送能力が限らず（Q個のPUCCHを伝送でき、Q>1）、返信待ちACK/NACK情報の数量P>13ビットである場合、上位レイヤがUEの具体的な状況によって、N個のPUCCH format 2/2a/2bフォーマットの上り制御チャネル資源を配置できて、
【数３】
2013524583.tif 000007
となる。P>N×13の場合、ACK/NACK情報の一部分を多重化し、その中で、単一コード文字伝送時に、P=Lとなり、マルチコード文字伝送時に、P=2×Lとなる。
【００９２】
PUCCH format 1b with channel selection方式を使用してマルチビットACK/NACK情報を伝送すると、相応な処理プロセスが下記の通りである。
【００９３】
FDDシステムにとって、上位レイヤが半静態方式で、UEにN個のPUCCH format 1/1a/1bフォーマットの上り制御チャネル資源を分配する。
【００９４】
その中で、Nは、返信窓口の大きさLとなり、N個のチャネル資源がそれぞれ異なる下り搬送波に対応し、UEが同じ下り搬送波での異なるコード文字に対応するACK/NACK情報を多重化し、N個の多重されるACK/NACK返信情報を生成する。又は、
【数４】
2013524583.tif 000008
となる。その中で、Ｃｌが搬送波ｌにおけるコード文字数であり、N個のチャネル資源が、それぞれ、異なる下り搬送波での異なるコード文字に対応する。UEが返信待ち情報の具体的な状況によって、表を調べ、実際に伝送する情報及び使用されるチャネル（N個の配置されるチャネルでの一つ）を確定する。
【００９５】
TDDシステムにとって、上位レイヤが半静態方式でUEにN個のPUCCH format 1/1a/1bフォーマットの上り制御チャネル資源を分配する。
【００９６】
その中で、Nは、表1と同じ上り・下り配置でのMの最大値であり、その対応関係が前記の通りであり、UEが同じ下りサブ・フレームでの異なる下り搬送波でのデータパケットに対応するACK/NACK情報を多重化する。又は、
【数５】
2013524583.tif 000009
となる。その中でＣｌが搬送波ｌにおけるコード文字数で、N個のチャネル資源が、それぞれ、異なる下り搬送波での異なるコード文字に対応する。又は、
【数６】
2013524583.tif 000010
となる。その中でＣが配置される下り搬送波数で、UEが同じ下り搬送波での異なるサブ・フレームでのACK/NACK情報を多重化して、Nビットの返信待ち情報を生成し、N個のチャネル資源がそれぞれ異なる返信待ち情報に対応する。
【００９７】
UEが返信待ち情報の具体的な状況によって、表を調べ、実際に伝送する情報及び使用されるチャネル（N個の配置されるチャネルでの一つ）を確定する。
【００９８】
搬送波重合システムにとって、UEにSORTDで送信されるサブセットを使用してPUCCHを伝送すると配置される場合、基地局が上位レイヤシグナルを通じて、半静態方式でUEに上り制御資源対を分配する。その具体的な分配方式は全文と同じであるが、その相違点は次の通り、即ち、基地局により配置される資源数量ＮSORTD＝２×Ｎで、その中でNが同じ返信モード下で、単一アンテナポートで伝送する場合に配置されるチャネル資源数量である。ＮSORTD個のチャネル資源をN対に分け、各資源対に二つのチャネル資源が含まれ、UEが同じ資源対の二つのチャネルで同時にPUCCHを送信する。前で示すように、上り・下り配置3では、SORTDで送信されるサブセットを使用してPUCCHを伝送するよう配置する場合、基地局がUEに三つの制御チャネル資源対、即ち、（ｎ1，ｎ2）、（ｎ3，ｎ4）、及び（ｎ5，ｎ6）を配置する。上りサブ・フレームｎ＝２では、資源対（ｎ1，ｎ2）に対応する下りサブ・フレームはｎ−１１であり、資源対（ｎ3，ｎ4）に対応する下りサブ・フレームはｎ−７であり、資源対（ｎ5，ｎ6）に対応する下りサブ・フレームはｎ−６である。上りサブ・フレームｎ＝３では、資源対（ｎ1，ｎ2）に対応する下りサブ・フレームはｎ−６であり、資源対（ｎ3，ｎ4）に対応する下りサブ・フレームはｎ−５であり、資源対（ｎ5，ｎ6）は遊休して使用されていない。上りサブ・フレームｎ＝４では、資源対（ｎ1，ｎ2）に対応する下りサブ・フレームはｎ−５であり、資源対（ｎ3，ｎ4）に対応する下りサブ・フレームはｎ−４であり、資源対（ｎ5，ｎ6）は遊休して使用されていない。UEが受けられる複数のデータパケットに対応する返信情報を多重化した後、実際にデータ伝送のある最後の下りサブ・フレームに対応する上り制御チャネル資源対の二つのチャネルで同時に返信情報を伝送する。UEがいかなるデータパケットも受けない場合、又はデータパケット紛失を見つけた場合、いかなる返信情報をも送信しない。
【００９９】
R8システムとの両立性を保証するために、各上り搬送波でR8の暗黙通知方式によってそのマッチングする下り搬送波に対応する上り制御チャネル資源を保留する。上りPUCCH主搬送波に対応する下り搬送波に下り動態配置用PDCCHがない場合、UEが上位レイヤ配置のチャネル資源を使用してPUCCHを伝送するしかない。上りPUCCH主搬送波に対応する下り搬送波に下り動態配置用PDCCHがある場合、UEが上位レイヤでチャネル資源以外を配置すると同時に、又R8暗黙通知方式でPUCCH format 1/1a/1bを伝送できる上り制御チャネル資源を配置する。
【０１００】
この場合、UEが上位レイヤ配置されるチャネル資源を固定的に使用して、前の方式でACK/NACK情報の返信を実施できる。
【０１０１】
又は、ACK/NACK多重モードとPUCCH format 1b with channel selectionに対して、PDCCHの相応な資源のあるデータパケットがPDCCHに対応する上りチャネル資源を使用し、PDCCHの相応な資源のないデータパケットが上位レイヤに配置されるチャネル資源を使用し、前の方式によってACK/NACK情報の返信を実施する。
【０１０２】
従来技術と比べて、本発明の実施形態は下記の優位性を持つ。
【０１０３】
本発明の実施形態の技術的解決法を適用することにより、静態方式で、ACK/NACK等の上り制御資源を配置できて、当該方法は簡単で、実施し易く、これと同時にFDD及びTDDシステムに適用できる。長期進化搬送波重合システムにとって、システムでの上り返信チャネル出費を低減できて、長期進化マルチ搬送波アップグレードシステムのシステム性能を向上できると同時に、 LTE Release 8システムと良く両立できる。
【０１０４】
本発明の実施形態の技術的解決法を実現するために、本発明の実施形態は、一種の基地局を提供し、そのブロック図は、図8で示すように、具体的には、
端末設備により配置される上り制御情報の返信モード及び/又は上り制御チャネル伝送方式の識別用の識別モジュール81と、
識別モジュール81の識別結果によって、端末設備に上位レイヤシグナルを送信し、端末設備に上り制御チャネル資源を分配する分配モジュール82と、を含む。
【０１０５】
優先的に、識別モジュール81により識別される端末設備により配置される上り制御情報の返信モード及び/又は上り制御チャネル伝送方式が、具体的には、
端末設備に、ACK/NACKを多重伝送する返信モードの返信ACK/NACK情報を使用し、単一アンテナポートを使用してPUCCHを伝送するよう配置されるか、
端末設備に、ACK/NACKを複合伝送する返信モードの返信ACK/NACK情報を使用し、単一アンテナポートを使用してPUCCHを伝送するよう配置されるか、
端末設備の配置に、ACK/NACKを複合伝送する返信モードの返信ACK/NACK情報を使用し、SORDT方式で生成される送信サブセットを使用してPUCCHを伝送するよう配置されるか、又は、端末設備に、ACK/NACKを多重伝送する返信モードの返信ACK/NACK情報を使用し、SORDT方式で生成される送信サブセットを使用してPUCCHを伝送するよう配置される。
【０１０６】
優先的に、識別モジュール81により識別される端末設備に、ACK/NACKを多重伝送する返信モードの返信ACK/NACK情報を使用し、単一アンテナポートを使用してPUCCHを伝送するよう配置される場合、分配モジュール82が識別モジュール81の識別結果によって端末設備に上位レイヤシグナルを送信し、端末設備に上り制御チャネル資源を分配する。具体的には、現在のシステムのタイプがFDDシステムであると、分配モジュール82が端末設備に一つのPUCCH format 1/1a/1bフォーマットの上り制御チャネル資源を分配する。
【０１０７】
現在のシステムのタイプがTDDシステムであると、分配モジュール82がプリセットされた規則によって、端末設備に相応数量のPUCCH format 1/1a/1bフォーマットの上り制御チャネル資源を分配する。
【０１０８】
優先的に、識別モジュール81により識別される端末設備に、ACK/NACKを複合伝送する返信モードの返信ACK/NACK情報を使用し、単一アンテナポートを使用してPUCCHを伝送するよう配置される場合、識別モジュール81も、又端末設備によりマルチビットACK/NACK情報が伝送されるフォーマットを識別し、分配モジュール82が識別モジュール81の識別結果によって、端末設備に上位レイヤシグナルを送信し、端末設備に上り制御チャネル資源を分配する。具体的には、識別モジュール81により、端末設備がPUCCH format 2/2a/2bフォーマットでマルチビットACK/NACK情報を伝送すると識別される場合、現在のシステムのタイプがFDDシステムであると、分配モジュール82が端末設備に一つのPUCCH format 2/2a/2bフォーマットの上り制御チャネル資源を分配し、現在のシステムのタイプがTDDシステムであると、分配モジュール82が返信窓口の大きさ、各下り搬送波伝送モード及び端末設備の能力情報によって、端末設備に一つ又は複数のPUCCH format 2/2a/2bフォーマットの上り制御チャネル資源を分配する。
【０１０９】
識別モジュール81により、端末設備がPUCCH format 1b with channel selection方式でマルチビットACK/NACK情報を伝送すると識別される場合、現在のシステムのタイプがFDDシステムであると、分配モジュール82が返信窓口の大きさと各下り搬送波伝送モードによって、端末設備に相応数量のPUCCH format 1/1a/1bフォーマットの上り制御チャネル資源を分配し、現在のシステムのタイプがTDDシステムであると、分配モジュール82がプリセットされた規則によって、端末設備に相応数量のPUCCH format 1/1a/1bフォーマットの上り制御チャネル資源を分配する。
【０１１０】
優先的に、識別モジュール81が、識別端末設備にSORDT方式で生成される送信サブセットを使用してPUCCHを伝送するよう配置される場合、分配モジュール82が端末設備に上位レイヤシグナルを送信し、端末設備に上り制御チャネル資源を分配し、具体的には、分配モジュール82が端末設備に相応数量の上り制御チャネル資源対を分配すること、を含む。
【０１１１】
一方、本発明の実施形態も一種の端末設備を提供し、その構造の略図は図9で示すように、具体的に下記モジュール、即ち、
(一)上り制御情報の返信モード及び/又は上り制御チャネル伝送方式の設置用の設置モジュール91を含む。
その中で、設置モジュール91により設置される上り制御情報の返信モード及び/又は上り制御チャネル伝送方式が具体的に下記事項、即ち、
端末設備に、ACK/NACKを多重伝送する返信モードの返信ACK/NACK情報を使用し、単一アンテナポートを使用してPUCCHを伝送するよう配置されること、又は
端末設備に、ACK/NACKを複合伝送する返信モードの返信ACK/NACK情報を使用し、単一アンテナポートを使用してPUCCHを伝送するよう配置されること、又は、
端末設備に、ACK/NACKを複合伝送する返信モードの返信ACK/NACK情報を使用し、SORDT方式で生成される送信サブセットを使用してPUCCHを伝送するよう配置されること、又は、
端末設備に、ACK/NACKを多重伝送する返信モードの返信ACK/NACK情報を使用し、SORDT方式で生成される送信サブセットを使用してPUCCHを伝送するよう配置されること、を含む。
(二)基地局により送信される、上位レイヤのシグナルを受け取る受信モジュール92（上位レイヤシグナルで端末設備により分配される上り制御チャネル資源情報が搬送される）と、
(三)設置モジュール91により設置される上り制御チャネル情報の返信モード及び/又は伝送方式及び受信モジュール92により受けられる上り制御チャネル資源情報によって、相応な上り制御チャネル資源を選択する選択モジュール93と、
(四)選択モジュール93により選択される上り制御チャネル資源を通じて、基地局に相応な返信情報を送信する送信モジュール94と、を含む。
【０１１２】
設置モジュール91により設置される返信モード及び/又は伝送方式と相応して、後続の処理プロセスは下記の状況を含む。
【０１１３】
状況一では、端末設備に、ACK/NACKを多重伝送する返信モードの返信ACK/NACK情報を使用し、単一アンテナポートを使用してPUCCHを伝送するよう配置される場合、具体的に下記事項を含む。
【０１１４】
現在のシステムのタイプがFDDシステムである場合、基地局が端末設備に一つのPUCCH format 1/1a/1bフォーマットの上り制御チャネル資源を分配し、送信モジュール94が受けられる複数のデータパケットに対応する返信情報を多重化した後、PUCCH format 1/1a/1bフォーマットの上り制御チャネル資源で多重化後の返信情報を伝送し、端末設備がいかなるデータパケットも受け取らない状況、又はデータパケット紛失の状況が存在することが確定される場合、端末設備が基地局への返信情報の送信を廃棄することと、
現在のシステムのタイプがTDDシステムである場合、基地局がプリセットされた規則によって、端末設備に相応数量のPUCCH format 1/1a/1bフォーマットの上り制御チャネル資源を分配し、送信モジュール94が受けられる複数のデータパケットに対応する返信情報を多重化した後、選択モジュール93により選択される相応数量のPUCCH format 1/1a/1bフォーマットの上り制御チャネル資源の中で、実際に受けるデータ伝送のある最後の下りサブ・フレームと相応する一つの上り制御チャネル資源で多重化後の返信情報を伝送し、端末設備がいかなるデータパケットも受けない状況、又はデータパケット紛失の状況の存在が確定される場合、端末設備が基地局への返信情報の送信を廃棄することとである。
【０１１５】
状況二では、端末設備に、ACK/NACKを複合伝送する返信モードの返信ACK/NACK情報を使用し、単一アンテナポートを使用してPUCCHを伝送すると配置される場合、具体的に下記事項を含む。
【０１１６】
1．設置モジュール91がPUCCH format 2/2a/2bフォーマットでマルチビットACK/NACK情報を伝送すると設置するとき、
現在のシステムのタイプがFDDシステムである場合、基地局が端末設備に一つのPUCCH format 2/2a/2bフォーマットの上り制御チャネル資源を分配し、送信モジュール94が受けられる複数のデータパケットに対応する返信情報を連鎖コーディングした後、PUCCH format 2/2a/2bフォーマットの上り制御チャネル資源で返信情報を伝送することと、
現在のシステムのタイプがTDDシステムである場合、基地局が返信窓口の大きさ、各下り搬送波伝送モード及び端末設備の能力情報によって、端末設備に一つ又は複数のPUCCH format 2/2a/2bフォーマットの上り制御チャネル資源を分配し、端末設備のパワー又は上り伝送能力が限られるとき、返信情報の大きさがプリセットされた閾値を超えていないと、前記端末設備が返信情報を連鎖コーディングした後、一つのPUCCH format 2/2a/2bフォーマットの上り制御チャネル資源で前記の返信情報を伝送し、返信情報の大きさがプリセットされた閾値を超えると、送信モジュール94が一部分の返信情報を多重化し、連鎖コーディングした後、一つのPUCCH format 2/2a/2bフォーマットの上り制御チャネル資源で多重化後の返信情報を伝送し、端末設備のパワー又は上り伝送能力が限られない場合、返信情報の大きさがプリセットされた閾値を超えていないと、送信モジュール94が各返信情報を連鎖コーディングした後、複数のPUCCH format 2/2a/2bフォーマットの上り制御チャネル資源で返信情報を伝送し、返信情報の大きさがプリセットされた閾値を超えると、送信モジュール94が一部分の返信情報を多重化し、連鎖コーディングした後、複数のPUCCH format 2/2a/2bフォーマットの上り制御チャネル資源で多重化後の返信情報を伝送することと、である。
【０１１７】
2．端末設備がPUCCH format 1b with channel selection方式でマルチビットACK/NACK情報を伝送するとき、
現在のシステムのタイプがFDDシステムである場合、返信待ち情報のビット数が4より大きいとき、送信モジュール94がまず同じ下り搬送波での異なるコードに対応する返信情報を多重化し、返信情報の状態によって、複数のPUCCH format 1/1a/1bフォーマットの上り制御チャネル資源から一つの相応な上り制御チャネル資源を選択し、伝送待ちの返信情報を生成し、基地局に伝送待ち返信情報を伝送することと、
現在のシステムのタイプがTDDシステムである場合、返信待ち情報のビット数が4より大きいとき、送信モジュール94がまず同じ下りサブ・フレームでの異なる下り搬送波でのデータパケットに対応する返信情報を多重化し、又は同じ下り搬送波での異なる下りサブ・フレームでのデータパケットに対応する返信情報を多重化し、返信情報の状態によって、複数のPUCCH format 1/1a/1bフォーマットの上り制御チャネル資源から一つの相応な上り制御チャネル資源を選択し、伝送待ち返信情報を生成し、前記基地局に前記伝送待ち返信情報を伝送することと、である。
【０１１８】
状況三と状況四では、設置モジュール91がSORDT方式で生成される送信サブセットを使用してPUCCHを伝送するよう配置する場合、送信モジュール94が、設置モジュール91の上り制御情報の返信モード及び/又は上り制御チャネル伝送方式、及び受けられる上り制御チャネル資源情報によって、相応数量の上り制御チャネル資源対を通じて、基地局に相応な返信情報を送信する。
【０１１９】
従来技術と比べて、本発明の実施形態は下記の優位性を持つ。
【０１２０】
本発明の実施形態の技術的解決法によって、半静態の方式でACK/NACK等上り制御資源を配置でき、当該方法が簡易で、実施し易く、これと同時にFDD及びTDDシステムに適用する。長期進化搬送波重合システムにとって、システムでの上り返信チャネル出費を低減し、長期進化マルチ搬送波アップグレードシステムのシステム性能を向上できると同時に、LTE Release 8システムと良く両立できる。
【０１２１】
前記の実施形態の説明を通じて、本技術分野の技術者は、ソフトウェアに必要な通用のハードウエアのプラットフォームを加える態様で本発明を実現することができることを明確に理解できる。勿論、ハードウエアを通じても実現できるが、多くの状況下で前者はより良い実施形態である。このような理解に基づいて、本発明の技術的解決法又は本質的に従来技術に貢献する部分をソフトウェア製品という形態で表すことができて、当該ソフトウェア製品を記憶媒体に記憶することができて、若干の指令を含んで、一台のコンピューター設備（PC、サーバー、ネットワーク設備など）に本発明の各実施形態の前記方法を実行させることができる。
【０１２２】
本技術分野の技術者が理解できるように、添付図面は一つの最良の実施形態の図だけで十分であり、添付図面でのモジュール又はフローは本発明の実施に必要なものではない。
【０１２３】
本技術分野の技術者が理解できるように、実施形態上での装置のモジュールが実施形態の説明によって、実施形態での装置に配布しても良いが、相応な変化をして、本実施形態と異なる一つ又は複数の装置に配布しても良い。前記の実施形態のモジュールを一体に多重化しても良いが、複数のサブモジュールにしても良い。
【０１２４】
本発明の実施形態の番号は説明上の利便性のためのものであり、実施形態としての優劣を意味しない。
【０１２５】
以上、開示されたものは本発明の複数の具体例だけであり、本発明はこれに限らず、本技術分野の技術者が想定可能な変化は全部、本発明の保護範囲に属すべきである。
【図１】
2013524583.tif 000011
【図２】
2013524583.tif 000012
【図３】
2013524583.tif 000013
【図４】
2013524583.tif 000014
【図５】
2013524583.tif 000015
【図６】
2013524583.tif 000016
【図７】
2013524583.tif 000017
【図８】
2013524583.tif 000018
【図９】
2013524583.tif 000019
【国際調査報告】
2013524583.tif 000020
2013524583.tif 000021
2013524583.tif 000022
2013524583.tif 000023